(57)【要約】【課題】本発明は、病院のベッドサイドのＰＣ端末の管理に要する労力を軽減すべく、ＰＣ端末を患者が使用しなくなったタイミング又は使用するＰＣ端末が変更になるタイミングに関する情報を、病院情報システムからネットワークを介して受信したＰＣ端末が自動的に個人データを削除又は移動する方法を提供することを目的とする。【解決手段】上記の課題は、患者の情報を管理する病院情報システムから病院内ネットワークを介して、前記患者が退院すること又は死亡したことを示す退院等情報を受信するステップと、前記記憶装置に記憶した個人データを削除するステップとから解決される。または、患者の情報を管理する病院情報システムから病院内ネットワークを介して、前記患者の入退室に関する情報を含む入退室情報を受信するステップと、前記入退室情報に含まれる書き出し先又は読み込み元に関する情報を判断するステップと、前記記憶装置に記憶した個人データを前記書き出し先又は前記読みこみ元に書き出し又は読み込みを行うステップとから解決される。【選択図】　　　　　　　　　図１
2004021699.tif 000002
【特許請求の範囲】
【請求項１】
患者用端末が記憶装置に記憶した患者個人のデータを管理する方法において、患者の情報を管理する病院情報システムから病院内ネットワークを介して、前記患者が退院すること又は死亡したことを示す退院等情報を受信するステップと、
前記退院等情報に基づいて前記記憶装置に記憶した個人データを削除するステップと
を備えたことを特徴とするデータ管理方法。
【請求項２】
患者用端末が記憶装置に記憶した患者個人のデータを管理する方法において、患者の情報を管理する病院情報システムから病院内ネットワークを介して、前記患者が退室することを示す退室情報を受信するステップと、
前記退室情報に含まれる書き出し先に関する情報を判断するステップと、
前記記憶装置に記憶した個人データを前記書き出し先に書き出すステップと
を備えたことを特徴とするデータ管理方法。
【請求項３】
患者用端末が記憶装置に記憶した患者個人のデータを管理する方法において、患者の情報を管理する病院情報システムから病院内ネットワークを介して、前記患者が入室することを示す入室情報を受信するステップと、
前記入室情報に含まれる読みこみ元に関する情報、又は読みこみ元に関する情報と前記患者を特定するための情報とを判断するステップと、
前記患者の個人データを前記読みこみ先から読みこむステップと
を備えたことを特徴とするデータ管理方法。
【発明の詳細な説明】
【０００１】
【発明の属する技術分野】
本発明は、病院内における患者用端末の個人データを管理する方法に関する。
【０００２】
【従来の技術】
現在、病院において、入院患者へのサービス向上の一環として、ベッドサイドにＰＣ（Ｐｅｒｓｏｎａｌ　Ｃｏｍｐｕｔｅｒ）端末を設置し、電子メール、Ｗｅｂ参照等を可能にするサービスが、主に病床数の多い大病院を中心に普及しつつある。
【０００３】
【発明が解決しようとする課題】
ところで、ベッドサイドのＰＣ端末を使用していた入院患者が退院又は死亡し、そのＰＣ端末を使用しなくなった場合には、その患者のプライバシー保護のためにＰＣ端末からメール、アドレス帳等の個人データを削除する必要がある。
また、入院中の患者が治療の経過に伴い病室を移ることもある。しかし、大病院では病床数が多いため、ＰＣ端末の１台ごとにメール等の個人データを削除又は移動するのは非常に多くの労力を必要とし、また、そのような作業を専門に担当する者がいない病院が多数を占めるという問題もある。
そこで、本願発明は、病院のベッドサイドのＰＣ端末の管理に要する労力を軽減すべく、ＰＣ端末を患者が使用しなくなったタイミング又は使用するＰＣ端末が変更になるタイミングに関する情報を、病院情報システムからネットワークを介して受信したＰＣ端末が個人データを削除又は移動する方法を提供することを目的とする。
【０００４】
【課題を解決するための手段】
本発明のデータ管理方法は、患者の情報を管理する病院情報システムから病院内ネットワークを介して、患者用端末が、前記患者が退院すること又は死亡したことを示す退院等情報を受信するステップと、前記患者用端末の記憶装置に記憶した個人情報データを削除するステップとを含む。
【０００５】
従って、本発明の個人データ管理方法によれば、患者用端末を患者が使用しなくなったタイミングに関する情報を病院情報システムからネットワークを介して受信し、患者用端末は個人データを削除することが可能となる。
【０００６】
また、本発明のデータ管理方法は、前記病院情報システムから病院内ネットワークを介して、患者用端末が、前記患者が入室又は退室することを示す入退室情報を受信するステップと、前記入退室情報に含まれる個人データの読みこみ元又は書き込み先に関する情報を判断するステップと、前記記憶装置に記憶した個人データを前記読みこみ元又は書き込み先から読みこみ又は書き込みを行うステップとを含む。
【０００７】
従って、本発明の個人データ管理方法によれば、患者の病室の移動により、患者が使用する端末が変わるタイミングに関する情報を病院情報システムからネットワークを介して受信し、患者用端末は、指定された記憶装置に個人データを書き出し、又は指定された記憶装置から個人データを読みこむことで、個人データの移動を行うことが可能となる。
【０００８】
【発明の実施の形態】
本発明の実施の形態について図面により説明する。図１に示すように、本実施形態は、病院において患者に関する全般の情報を管理する病院情報システム１６と、入院患者がベッドサイドにて使用する患者用端末１０とが病院内ネットワーク１８を介して接続されている。患者用端末１０には患者用端末用記憶装置１１が接続されており、患者の個人データが記憶されている。前記個人データの内容は、患者が患者用端末１０を使用していたときに送受信したメール、アドレス帳、患者個人の情報等を含む。なお、図１では、さらに２台の患者用端末（１２、１４）が病院内ネットワークに接続され、それぞれに患者用端末用記憶装置（１３、１５）が接続されているが、この台数に限るものではなく、実際は病室のベッドサイドに設置された端末の台数分だけ接続されることとなる。また、患者用端末間でデータの移動を行う際に、一時的にデータを格納するための一時格納用記憶装置１７が、必要に応じて病院内ネットワーク１８に接続される場合もある。
【０００９】
病院情報システム１６は病院内において患者に関するさまざまな情報を管理するもので、本発明においては、患者用端末１０が各プログラムを動作させるのに必要な情報を制御及び送信する。
【００１０】
患者用端末１０はデータ削除プログラム１０１やデータ書き出しプログラム１０２やデータ読みこみプログラム１０３を備えている。また、受信したメールやアドレス帳等の個人データを保存しておくための記憶装置１１を備えている。
【００１１】
データ削除プログラム１０１は、病院情報システム１６より患者用端末１０を使用する患者が退院すること又は死亡したことを示す種別コード５１を受信すると、記憶装置に記憶された当該患者の個人データを削除する処理を行うための処理を記述したプログラムである。
【００１２】
データ書き出しプログラム１０２は、病院情報システム１６より患者が他の病室に移るために退室し、患者用端末１０を使用しなくなることを示す種別コード５１を受信すると、同様に受信したアクセスアドレス５２からデータの書き出し先を判断し、その書き出し先に記憶装置に記憶された当該患者の個人データを書き出す処理を行うための処理を記述したプログラムである。
【００１３】
データ読みこみプログラム１０３は、病院情報システム１６より、患者がある病室に他の病室から移動してきて、入室することを示す種別コード５１を受信すると、同様に受信したアクセスアドレス５２からデータの読みこみ元を判断し、その読みこみ元から当該患者の個人データを読みこんで、記憶装置１１に格納する処理を行うための処理を記述したプログラムである。
【００１４】
図５は患者用端末１０が各プログラムの動作のために病院情報システム１６から受信するデータの例である。種別コード５１は退院等、退室、入室の区別をするためのデータであり、データ削除プログラム１０１、データ書き出しプログラム１０２、データ読みこみプログラム１０３の中から、動作させるべきプログラムを判断するために用いる。なお、種別コード５１によって示される退院等には、患者が退院した場合と同様に患者用端末１０を使用しなくなることから、患者が死亡した場合を含む。種別コード５１により退院等であることが示された場合には、他の端末等とのデータの送受信はないため、アクセスアドレス５２のデータは使用しない。種別コードにより退室であることが示された場合には、アクセスアドレス５２から個人データを書き出す先のアドレスを判断する。アクセスアドレス５２には、患者が移動する先の端末に直接に個人データを移動させる場合には当該端末のアドレスが設定され、一時的に別の記憶装置を介して個人データを移動させる場合には一時格納用記憶装置１７のアドレスが設定される。種別コードにより入室であることが示された場合には、アクセスアドレス５２から個人データの読みこみ元のアドレスを判断する。アクセスアドレス５２には、患者がそれまでに使用していた端末から直接にデータ読みこむ場合には当該端末のアドレスが設定され、一時的に別の記憶装置に退避した個人データを読みこむ場合には一時格納用記憶装置１７のアドレスが設定される。また、患者ＩＤ５３には、必要に応じて、患者を特定する情報を含む場合もある。これは、一時格納用記憶装置１７に複数の患者の個人データが記憶されている場合に、読み出すべき個人データを特定するために用いられる。
【００１５】
次に、図２乃至図４に示すフローチャートを用いて、本発明の動作例を説明する。図２は、患者が退院又は死亡のためそれまで使用していた患者用端末１０を使用しなくなった場合に、患者用端末１０が記憶装置１１に記憶された個人データを削除する処理を説明するためのフローチャートである。
【００１６】
まずステップＳ２１で病院情報システム１６より患者移動情報５０を受信する。次にステップＳ２２で種別コード５１を参照して、退院等情報であるか否かを判定する。退院等の場合はデータを他の端末等に書き出したり、読みこんだりしないので、アクセスアドレス５２は使用しない。
【００１７】
退院等情報を受信すると、ステップＳ２３で患者用端末１０は記憶装置１１に記憶している患者の個人データを削除する処理を行う。患者の個人データとは、患者が患者用端末１０を使用しているときに記憶装置に記憶、保存していたメールのデータやアドレス帳等である。
【００１８】
以上の処理により患者用端末１０は記憶装置１１に記憶した個人データを削除することができる。
【００１９】
図３は、患者が他の病室に移るため、それまで使用していた患者用端末１０の記憶装置１１に記憶されている個人データを移動先の端末に移動させる必要が生じた場合に、患者用端末１０が、記憶装置１１に記憶された個人データを書き出す処理を説明するためのフローチャートである。
【００２０】
まず、ステップＳ３１で病院情報システム１６より患者移動情報５０を受信する。次にステップＳ３２で種別コード５１を参照して、退室情報であるか否かを判定する。
【００２１】
患者用端末１０は退室情報を受信すると、ステップＳ３３でアクセスアドレス５２から個人データの書き出し先を参照する。直接に移動先の端末に個人データを書き込む場合には、アクセスアドレス５２には当該移動先の端末のアドレスが設定されている。一時的に他の記憶装置に個人データを書き出し、移動先の端末からその記憶装置の個人データを読みこむ場合には、アクセスアドレス５２には一時格納用記憶装置１７のアドレスが設定されている。また、患者用端末１０の記憶装置１１に複数の患者の個人データが記憶されている場合には、患者ＩＤ５３から、書き出すべき個人データを特定するための情報を参照する場合もある。
【００２２】
ステップＳ３４では、患者用端末１０はステップＳ３３で参照した書き出し先に対して、個人データの書き出しを行う。ここで、前記書き出し先に複数の患者の個人データが記憶される場合のために、書き出しを行う個人データに患者を特定するための情報を付する場合もある。
【００２３】
ここまでで、移動先への個人データの移動が完了するので、ステップＳ３５で不要となった元の患者用端末１０の記憶装置１１に記憶されていた個人データを削除する。なお、このステップＳ３５の処理は、データ書き出し処理フローの中では行わずに、あらためて図２で説明した方法を用いて行うものとしてもよい。
【００２４】
図４は、患者が他の病室から移ってくる場合に、患者用端末１０が他の記憶装置から個人データを読みこむ処理を説明するためのフローチャートである。
【００２５】
まず、ステップＳ４１で病院情報システム１６より患者移動情報５０を受信する。次にステップＳ４２で種別コード５１を参照して、入室情報であるか否かを判定する。
【００２６】
患者用端末１０は入室情報を受信すると、ステップＳ４３でアクセスアドレス５２から個人データの読みこみ元を参照する。直接に患者の移動元の端末の記憶装置から個人データを読みこむ場合には、アクセスアドレス５２には当該移動元の端末のアドレスが設定されている。前記の図３の説明に記載したように、一時格納用記憶装置１７を介して個人データの移動を行う場合には、当該一時格納用記憶装置１７のアドレスが、アクセスアドレス５２に設定されている。また、フロー中に示していないが、一時格納用記憶装置１７に複数の患者の個人データが記憶されている場合には、その１つを特定するために、さらに、必要に応じて、患者ＩＤ５３から、読みこむべき患者の個人データを特定するための情報を参照する場合もある。
【００２７】
ステップＳ４４では、患者用端末１０はステップＳ４３で参照した情報に基づいて、読みこみ元から個人データの読みこみを行う。ここまでで、患者が移動してくる患者用端末１０の記憶装置１１への個人データの移動が完了するので、ステップＳ４５で不要となった読みこみ元の記憶装置の個人データを削除する。なお、このステップＳ４５の処理は、データ読みこみ処理フローの中で行わずに、あらためて図２で説明した方法を用いて行うものとしてもよい。
【００２８】
以上の処理により、患者用端末１０は、記憶装置１１に記憶していた個人データを指定された他の記憶装置に書き出すことが可能となり、また、指定された他の記憶装置から記憶装置１１に個人データを読みこむことが可能となる。
【００２９】
よって、入院患者が病室を移動する際には、移動元の患者用端末が移動先の患者用端末に個人データを書き出す方法、移動先の患者用端末が移動元の患者用端末から個人データを読みこむ方法、移動元の患者用端末が一時格納用記憶装置に個人データを書き出し、移動先の患者用端末が一時格納用記憶装置から個人データを読みこむ方法の３通りのいずれかの方法で個人データの移動を行うことができる。
【００３０】
なお、本発明は上記説明した構成にとらわれるものではなく、別の実施例によって実現されても構わない。
【００３１】
図１の一時格納用記憶装置１７は、実施の形態の一例として病院内ネットワーク１８に直接に接続されているが、例えば、病院情報システム１６の内部に接続する構成にしても本発明の実現は可能であり、また図示はしていないが、一時格納用記憶装置１７を制御するための端末を介して病院内ネットワーク１８に接続される構成としても本発明の実現は可能である。
【００３２】
図５に示した病院情報システムから受信するデータ例では、種別コード５１とアクセスアドレス５２とは、同時に受信されるものとして示してあるが、時系列でそれぞれに分割されて受信されるものとしてもよい。さらに、その際には、種別コード５１が退院等を示すものであった場合、不要なデータであるアクセスアドレス５２は受信されないものとしてもよい。
【００３３】
なお、図示はしていないが、患者用端末１０は、ＣＰＵ（Ｃｅｎｔｒａｌ　ＰｒｏｃｅｓｓｉｎｇＵｎｉｔ）によって装置全体が制御されているコンピュータである。ＣＰＵには、バスを介してＲＡＭ（Ｒａｎｄｏｍ　Ａｃｃｅｓｓ　Ｍｅｍｏｒｙ）、ハードディスク装置（ＨＤＤ）、グラフィック処理部、入力インタフェース、および通信インタフェース等が接続されている。
【００３４】
ＲＡＭには、ＣＰＵに実行させるＯＳ（Ｏｐｅｒａｔｉｎｇ　Ｓｙｓｔｅｍ）のプログラムやその他のプログラムの少なくとも一部が一時的に格納される。また、ＲＡＭには、ＣＰＵによる処理に必要な各種データが格納される。ＨＤＤには、ＯＳやその他のプログラムおよびデータが格納される。
【００３５】
グラフィック処理部には、モニタ装置が接続されている。グラフィック処理部は、ＣＰＵからの命令に従って入力画面などをモニタ装置に表示させる。入力インタフェースには、キーボードやマウス等が接続されている。入力インタフェースは、キーボードやマウス等から送られてくる信号を、バスを介してＣＰＵに送信する。
【００３６】
通信インタフェースは、病院内ネットワーク１８に接続されている。通信インタフェースは、病院内ネットワーク１８を介して患者用端末１０との間で、データの送受信を行なう。
【００３７】
本発明の実施の形態に係るデータ削除プログラム１０１、データ書き出しプログラム１０２、データ読みこみプログラム１０３を上述のコンピュータで実行させることによって、コンピュータをデータ管理装置として機能させることができる。
【００３８】
また、上記のコンピュータが有すべき機能の処理内容は、コンピュータで読み取り可能な記録媒体に記録されたプログラムに記述させておくことができる。このプログラムをコンピュータで実行することにより、上記処理がコンピュータで実現できる。コンピュータで読み取り可能な記録媒体としては、磁気記録装置や半導体メモリなどがある。市場に流通させる場合には、ＣＤ−ＲＯＭ（Ｃｏｍｐａｃｔ　Ｄｉｓｋ　Ｒｅａｄ　Ｏｎｌｙ　Ｍｅｍｏｒｙ）やフレキシブルディスクなどの可搬型記録媒体にプログラムを格納して流通させたり、ネットワークを介して接続されたコンピュータの記憶装置に格納しておき、ネットワークを通じて他のコンピュータに転送したりすることもできる。コンピュータで実行する際には、コンピュータ内のハードディスク装置などにプログラムを格納しておき、メインメモリにロードして実行する。
【００３９】
（付記１）
患者用端末が記憶装置に記憶した患者個人のデータを管理する方法において、患者の情報を管理する病院情報システムから病院内ネットワークを介して、前記患者が退院すること又は死亡したことを示す退院等情報を受信するステップと、
前記退院等情報に基づいて前記記憶装置に記憶した個人データを削除するステップと
を備えたことを特徴とするデータ管理方法。
【００４０】
（付記２）
患者用端末が記憶装置に記憶した患者個人のデータを管理する方法において、患者の情報を管理する病院情報システムから病院内ネットワークを介して、前記患者が退室することを示す退室情報を受信するステップと、
前記退室情報に含まれる書き出し先に関する情報を判断するステップと、
前記記憶装置に記憶した個人データを前記書き出し先に書き出すステップと
を備えたことを特徴とするデータ管理方法。
【００４１】
（付記３）
患者用端末が記憶装置に記憶した患者個人のデータを管理する方法において、患者の情報を管理する病院情報システムから病院内ネットワークを介して、前記患者が入室することを示す入室情報を受信するステップと、
前記入室情報に含まれる読みこみ元に関する情報、又は読みこみ元に関する情報と前記患者を特定するための情報とを判断するステップと、
前記患者の個人データを前記読みこみ先から読みこむステップと
を備えたことを特徴とするデータ管理方法。
【００４２】
（付記４）
コンピュータを動作させるためのプログラムであって、コンピュータに
患者の情報を管理する病院情報システムから病院内ネットワークを介して、前記患者が退院すること又は死亡したことを示す退院等情報を受信する手段と、
前記退院等情報に基づいて前記記憶装置に記憶した個人データを削除する手段と
を機能させるためのデータ管理プログラム。
【００４３】
（付記５）
コンピュータを動作させるためのプログラムであって、コンピュータに
患者の情報を管理する病院情報システムから病院内ネットワークを介して、前記患者が退室することを示す退室情報を受信する手段と、
前記退室情報に含まれる個人データの書き出し先に関する情報を判断する手段と、
前記記憶装置に記憶した個人データを前記書き出し先に書き出しを行う手段と
を機能させるためのデータ管理プログラム。
【００４４】
（付記６）
コンピュータを動作させるためのプログラムであって、コンピュータに
患者の情報を管理する病院情報システムから病院内ネットワークを介して、前記患者が入室することを示す入室情報を受信する手段と、
前記入室情報に含まれる個人データの読みこみ元に関する情報、又は読みこみ元に関する情報と前記患者を特定するための情報とを判断する手段と、
前記患者の個人データを前記読みこみ元から読みこみを行う手段と
を機能させるためのデータ管理プログラム。
【００４５】
（付記７）
記憶装置に記憶した患者個人のデータを管理する装置であって、
患者の情報を管理する病院情報システムから病院内ネットワークを介して、前記患者が退院すること又は死亡したことを示す退院等情報を受信する手段と、
前記退院等情報に基づいて前記記憶装置に記憶した個人データを削除する手段と
を備えたことを特徴とするデータ管理装置。
【００４６】
【発明の効果】
以上説明したように、患者用端末が、病院情報システムから受信した退院等、入室及び退室の情報に基づいて、個人データの削除、指定された記憶装置への書き出し、指定された記憶装置からの読みこみを行うことで、個人データの削除、移動が可能となり、よって、患者用端末の管理労力が軽減される。
【図面の簡単な説明】
【図１】本発明を実現するための構成図である。
【図２】患者用端末のデータ削除処理を説明するフローである。
【図３】患者用端末のデータ書き出し処理を説明するフローである。
【図４】患者用端末のデータ読みこみ処理を説明するフローである。
【図５】病院情報システムから受信する患者移動情報の例である。
【符号の説明】
１０　　患者用端末
１１　　患者用端末用記憶装置
１２　　患者用端末
１３　　患者用端末用記憶装置
１４　　患者用端末
１５　　患者用端末用記憶装置
１６　　病院情報システム
１７　　一時格納用記憶装置
１８　　病院内ネットワーク
１０１　データ削除プログラム
１０２　データ書き出しプログラム
１０３　データ読みこみプログラム
５０　　患者移動情報
５１　　種別コード
５２　　アクセスアドレス
５３　　患者ＩＤ
【図１】
2004021699.tif 000003
【図２】
2004021699.tif 000004
【図３】
2004021699.tif 000005
【図４】
2004021699.tif 000006
【図５】
2004021699.tif 000007